(57)【要約】【課題】薄型磁気ディスク装置の磁気ディスク回転性能を低下させずに、耐衝撃性向上を実現する【解決手段】筐体１０３をベース１０３ａとメタルコア配線基板とで頑丈に形成した上で、ベース１０３ａに流体軸受け構造を設置するとともにベース１０３ａ側のシャフト１２３の端部をピボット状に形成し、ベース１０３ａと軸受け部分のいずれかあるいは両方に設置したスラスト与圧用磁石によりシャフト１２３とハブ１２０のいずれかあるいは両方を磁力により引き寄せることにより、該シャフト１２３とベース１０３ａの軸受け部分にシャフト軸に沿った与圧を発生させ、磁気ディスク１２２とベース１０３ａ間の距離を保持する。更に、シャフト回転軸延長線上のケース部分に抜け止め突起１０８を設け、磁気ディスク１２２の回転面の移動範囲を制限し、落下衝撃等に対する耐衝撃性を向上させた。【選択図】　図４
2004032850.tif 000002
【特許請求の範囲】
【請求項１】
筐体の第１主面を構成するベースと、前記ベースに固定された軸受け手段と、前記軸受け手段に一端部が回転可能に支持され他端部にはハブを介して磁気ディスクおよびロータが固定されたシャフトと、前記シャフトを前記ベースに接近するように軸方向に付勢する磁力を発生する磁力発生手段と、前記筐体の前記第１主面と対向する第２主面に設けられ前記ロータと磁気的に結合して回転させるステータと、前記磁気ディスクに対する磁気情報の読み出し操作あるいは書込み操作を行う磁気ヘッドと、前記磁気ヘッドの前記磁気ディスクに対する位置決め動作を行うアクチュエータと、を含むことを特徴とする磁気ディスク装置。
【請求項２】
請求項１記載の磁気ディスク装置において、前記筐体の前記第２主面は、前記磁気ディスクを挟んで前記ベースに対向し、積層した軟磁性材料の薄板をコアとして形成されたメタルコア回路基板からなり、前記ステータは、前記ロータを取り囲むように前記軟磁性材料の薄板の一部を放射状に成形して構成され、前記メタルコア回路基板には、前記ロータの回転を制御する動作、および前記磁気ディスクの所望の位置から読み出した磁気情報を電気的に処理する動作、および前記磁気ディスクの所望の位置に磁気情報を書き込む動作の少なくとも一つの動作のための電子回路が搭載されていることを特徴とする磁気ディスク装置。
【請求項３】
請求項１記載の磁気ディスク装置において、前記磁力発生手段は、
前記ベース側に固定され、軟磁性体からなる前記ハブを磁力で吸引することで、前記シャフトを前記ベース側に付勢する永久磁石からなる第１の構成、
前記ハブの一部に固定され、前記ベース側の軟磁性体からなる部材を磁力で吸引することで、前記シャフトを前記ベース側に付勢する永久磁石からなる第２の構成、
前記シャフトの前記軸受け手段に対する挿入端が磁化され、磁化された前記挿入端と軟磁性体からなる前記軸受け手段側との間の磁力により、前記シャフトを前記ベース側に付勢する第３の構成、
の少なくとも一つの構成を含むことを特徴とする磁気ディスク装置。
【発明の詳細な説明】
【０００１】
【発明の属する技術分野】
本発明は磁気ディスク装置に関し、特に、寸法上の制約が大きい超小型磁気ディスク装置等に適用して有効な技術に関する。
【０００２】
【従来の技術】
近年、磁気ディスク装置に対しては大容量化、小型化への要求があり、現状製品レベルでは１．０インチ径の磁気ディスクを用いた厚さ５ｍｍの磁気ディスク装置が製品化されている。
【０００３】
従来の磁気ディスク装置の構造には、インハブ・モータとアンダーハブ・モータがある。このインハブ・モータは、ディスクを積層するスピンドルの中心ハブの内部に、ロータ、ステータなどの磁気回路を構成しているモータのことであり、現在最も広く利用されている。また、アンダーハブ・モータは、ディスクをスタックするハブ部よりベース寄りにロータ／ステータの磁気回路を構成するもののことである。
【０００４】
インハブ・モータを用いたディスクドライブ構造の一例に、特開平６−６８５９２号公報に記載された構造がある。
【０００５】
上記公報の図２に記載されているように、この構造は、軸固定型のインハブ・モータを採用しているので、ベースに固定された固定シャフトに軸受−ベアリング−軸受を介してハブが配置され、ハブの内側にロータを構成する磁石が配置され、ベースにステータが配置されている。
【０００６】
また、アンダーハブ・モータを用いた薄型磁気ディスクドライブ構造としては、特開平５−２２５７２２号公報がある。
【０００７】
この公報の図２Ｂに記載されているように、軸固定型のアンダーハブ・モータを採用しているので、ベースに固定された固定シャフトに軸受−ベアリング−軸受を介してハブが配置され、ハブの下側にロータを構成する磁石が配置され、ベースにステータが配置されている。
【０００８】
【発明が解決しようとする課題】
近年、たとえば半導体メモリを記憶媒体とするメモリカード等と外形寸法等を互換にした、小型かつ薄型の磁気ディスク装置に需要が出てきている。小型磁気ディスク装置の場合、インハブモータの構成はモータ径を極端に小型化する必要から困難であり、アンダーハブ形が用いられる。アンダーハブ形で磁気ディスク装置の薄型を達成するには、個々の構成部品を薄くすることになるが、部品の中には単純には薄くできないものや小型化できないものもある。その主なものはスピンドルモータの軸受けである。
【０００９】
軸回転型と軸固定型を問わず、シャフトはハブの回転する中心軸となる。玉軸受けを用いてもあるいは流体軸受けを用いてもシャフトと軸受けの間には僅かなクリアランスがあり、前記ロータ及び磁気ディスクの回転により、クリアランスに起因する軸振れが生じる。従って、この軸振れを抑制するためには軸を２カ所以上で支え、支え部の距離を離すことで対応する必要がある。
【００１０】
また、軸受けは軸振れを抑制するだけではなく、前記磁気ヘッドの移動機構の制約から、前記磁気ディスクがベースから一定の高さにあるように制約できる機能が必要である。
【００１１】
しかし、上記従来の技術ではシャフトが磁気ディスク装置を貫通するように配置すると、軸振れでは優れた特性が期待できるが、流体軸受けを用いる場合はハブのシャフト軸方向の移動に対して、制約を与えることができないため、小型化に不向きな玉軸受けしか用いることができない。
【００１２】
本発明の目的は、厚さ寸法に大きな制約を受ける薄型の磁気ディスク装置における磁気ディスクの回転性能を低下させることなく、耐落下衝撃性能等を向上させることにある。
【００１３】
本発明の他の目的は、筐体の剛性を低下させることなく薄型化が可能な磁気ディスク装置を提供することにある。
【００１４】
【課題を解決するための手段】
本発明の磁気ディスク装置では、筐体の少なくとも一つの第１主面を構成するベースと、ベースに支持されたシャフトと、シャフトを回転軸にして回転するロータと、ロータを回転させるステータと、ロータに固定されている磁気ディスクを備え、ステータはベースに対向する第２主面に配置する。このように、ベース側にステータを配置せず、ベースに対向する面に配置しているので、磁気ディスク及び磁気ヘッド・サスペンション等の可動部分をベースと対向する軟磁性金属板をコアとするプリント基板との間に設置し、筐体を箱型に頑丈に形成することが可能である。
【００１５】
筐体を頑丈に形成した上で、ベースに流体軸受けを設置するとともにベース側のシャフト端をピボット状に形成し、ベースと軸受け部分のいずれかあるいは両方に設置した磁石によりシャフトとハブのいずれかあるいは両方を磁力により引き寄せることにより、該シャフト端とベースの軸受け部分にシャフト軸に沿った与圧を発生させることで、磁気ディスクとベース間の距離を保持することが可能である。
【００１６】
更に落下衝撃等の過大な加速度への対応として、シャフト回転軸延長線上のケース部分に抜け止め突起を設けることにより、磁気ディスク回転面の移動範囲を制限し、耐衝撃性を向上可能である。
【００１７】
【発明の実施の形態】
以下、本発明の実施の形態を図面を参照しながら詳細に説明する。
【００１８】
本実施の形態の磁気ディスク装置は、一例として、主に、磁気ヘッド位置決め機構、磁気ディスク、アルミ製の筐体、コネクタ、ロータ部およびステータ部で構成されている。ここに示す本実施の形態の磁気ディスク装置の外形寸法はフラッシュＡＴＡメモリカードｔｙｐｅＩと互換のメモリカードと同一サイズ（幅Ｗ＝４２．８ｍｍ×奥行きＤ＝３６．４ｍｍ×厚さＨ＝３．３ｍｍ）である。
【００１９】
また、必要に応じて、磁気ディスクの口径をより小さくすることで、外形寸法が幅Ｗ＝２１．５ｍｍ、奥行きＤ＝５０．０ｍｍ、厚さＨ＝２．８ｍｍ、とすることもできる。
【００２０】
この磁気ディスク装置の筐体上面のカバーをはずし、さらに筐体の一部を構成する回路基板の一部を破断して内部構造を露出させた状態の上面図を図１に示す。なお、実際の磁気ディスク装置としては、筐体の上面にステータを含む回路基板を接着してネジで固定し、その上をカバーで覆う構造とする。
【００２１】
図１の１００は軟磁性金属板積層をもつメタルコア配線基板で、このメタルコア配線基板１００には主に２つの穴が形成されている。これらの穴は磁気ヘッド位置決め機構のシャフト１１０、シャフト１２３に支持されて磁気ディスク１２２を回転させるためのハブ１２０およびロータ磁石１２１に対応するものである。
【００２２】
シャフト１１０には、磁気ヘッド１１７を搭載したアームアッセンブリ１１１等の磁気ヘッド位置決め機構が配置されている。
【００２３】
ハブ１２０にはロータ磁石１２１やメタルコア配線基板１００の下方に位置する磁気ディスク１２２が同軸に固定されている。メタルコア配線基板１００には、ロータ磁石１２１を取り囲むように、当該メタルコア配線基板１００の軟磁性金属板積層を成形して放射状に配置された複数のステータ磁極１０１ａに巻回されたステータ用配線コイル１０１が設けられている。また、メタルコア配線基板１００の穴以外の領域には、図示しない配線が形成されている。なお、１０２は筐体１０３にメタルコア配線基板１００を固定するネジ孔である。
【００２４】
この図１の線Ａ１−Ａ２の断面部分を表す図２を用いて本実施の形態の磁気ディスク装置の内部構造の一部を説明する。磁気ヘッド位置決め用のシャフト１１０はベアリング１１３を介して、ベース１０３ａに支持された固定シャフト１１２に回転可動に取り付けられている。シャフト１１０には磁気ヘッド１１７の位置決め用ボイスコイルモータ（ＶＣＭ）のコイルアッセンブリ１１４と磁気ヘッド１１７を搭載したアームアッセンブリ１１１が取り付けられている。コイルアッセンブリ１１４は磁石１１５とヨーク１１６の間に設置される。磁気ヘッド位置決め機構のＶＣＭはシャフト１１０からヨーク１１６の部材により構成されている。筐体１０３のベース１０３ａと対向する側の磁気ディスク装置の内部機構保護は、高剛性のメタルコア配線基板１００およびカバー１０４により行われる。
【００２５】
次に図１の線Ｂ１−Ｂ２の断面を表す図３を用いて本実施の形態の磁気ディスク装置の内部構造の一部を説明する。磁気ディスク１２２の回転中心となるシャフト１２３にはハブ１２０およびロータ磁石固定リング１２４を介してロータ磁石１２１及び磁気ディスク１２２が取り付けられ、軸方向に可動な回転軸であるシャフト１２３は筐体１０３に固定された流体軸受け１０６に支持されている。ここで、ハブ１２０とは磁気ディスク１２２に回転を伝える部材であるハブ１２０，ロータ磁石１２１，シャフト１２３及びロータ磁石固定リング１２４の総称とする。
【００２６】
メタルコア配線基板１００の端部には外部との電気信号を送受するために複数の信号ピンが形成されたコネクタ１００ａが配置されている。コネクタ１００ａの筐体１０３の内側には封止樹脂１００ｂが塗布され、塗布後加熱硬化されてコネクタ１００ａに形成されている貫通孔を塞いでいる。これは外部から進入する塵が磁気ディスク１２２の表面に付着しないようにすることが目的である。また、メタルコア配線基板１００の筐体内部に面する表面上には磁気シールド薄板１０１ｂが搭載される。
【００２７】
図２及び図３の磁気ディスク装置の断面図に示すように、軟磁性金属板積層をコアとしたメタルコア配線基板１００が実質的な筐体上面部材となるため、筐体上面の強度を向上させることができるとともに、磁気ディスク装置全体も耐衝撃性が向上し、装置全体を薄くすることが可能である。
【００２８】
本実施の形態では、ハブ１２０の外縁部にロータ磁石固定リング１２４を介して支持されたロータ磁石１２１は、円周方向に１６極に分割して磁化されている環状の永久磁石で構成され、その外側にラジアルギャップを介してステータ磁極１０１ａの先端部が配置されている。なお、ステータ磁極１０１ａは環状永久磁石からなるロータ磁石１２１の極数の１．５倍の２４極であるこのステータ磁極１０１ａの先端部と環状のロータ磁石１２１との間の磁力によりハブ１２０および磁気ディスク１２２が回転する。
【００２９】
軸受け部分の拡大断面図である図４を用いて、本実施の形態における磁石によるスラスト与圧した流体軸受けについて説明する。
【００３０】
図４でツボ型に整形されたハブ１２０にはシャフト１２３の端部が挿入されている。軸受け側は軸受けメタル１０６及びスラスト受け１０９が軸受けハウジング１０５に取り付けられ、磁気ディスク装置のベース１０３ａに取り付けられる。シャフト１２３と軸受けメタル１０６の間は流体で満たされており、円滑な回転性能が得られる流体軸受けを構成している。
【００３１】
ツボ型のハブ１２０の一端は磁気ディスク１２２を受けるフランジ部１２０ａになっており、ロータ磁石固定リング１２４による軸方向に与圧された磁気ディスク固定リング１２５との間でハブ１２０の外周に磁気ディスク１２２を固定する。ハブ１２０の別の一端はロータ磁石１２１が固定されたロータ磁石固定リング１２４が設置され、全体で磁気ディスク装置のハブ部を形成している。
【００３２】
図４に例示されるように、本実施の形態では、リング状に形成されたスラスト与圧用磁石１０７がベース１０３ａの軸受けハウジング１０５の取り付け部１０３ｂの先端でツボ型のハブ１２０の内奥部に近接した位置に固定されている。ツボ型のハブ１２０は本実施の形態では一例としてＳＵＳ４３０Ｆで作られており、フェライト製リング磁石からなるスラスト与圧用磁石１０７とのシャフト１２３の軸方向距離を約０．１ｍｍとすることにより、ハブ１２０をベース１０３ａに引きつける方向のスラスト与圧２０グラムを得ることができた。
【００３３】
ツボ型のハブ１２０、ロータ磁石１２１、ロータ磁石固定リング１２４、シャフト１２３、磁気ディスク１２２、磁気ディスク固定リング１２５が回転部分の全部品であるが、本実施の形態ではこれらの総重量は約１．３グラムであった。従って、１５Ｇ程度以上の加速度が印加されなければ、磁気ディスク１２２の回転面はベース１０３ａに対して大きく移動することはない。
【００３４】
換言すればベース１０３ａに共通に固定されたＶＣＭ等の位置決め機構に支持された磁気ヘッド１１７の磁気ディスク１２２に対する浮上間隙等の位置関係が変化せず、所定の記録／再生性能が安定に維持される。
【００３５】
一方、落下等の衝撃による加速度は１５Ｇより遙かに大きな値となる。このときのシャフト１２３の抜け止めを目的として、本実施の形態ではシャフト１２３の軸中心延長上に抜け止め突起１０８をメタルコア配線基板１００のツボ型のハブ１２０に面する開口部に露出したカバー１０４（外部ケース）の内面に取り付けている。抜け止め突起１０８とツボ型のハブ１２０あるいはシャフト１２３の上面との距離は通常状態では２０〜５０μｍ程度離しており、接触することはない。落下等のスラスト与圧を超える力が加えられたときのみ接触する構造となっている。
【００３６】
本実施の形態の構造では、抜け止め突起１０８をツボ型のハブ１２０あるいはシャフト１２３の回転軸延長線上に設置することにより、接触時のハブ１２０の回転による突起との摩耗粉の発生を最小にする構造としている。
【００３７】
また、リング状のスラスト与圧用磁石１０７をＳＵＳ４３０Ｆのツボ型のハブ１２０の最奥部に設置することにより、外部への漏洩磁束を最小限に抑制し、磁気ディスク１２２への磁気的な影響がないように考慮されている。
【００３８】
このように、本実施の形態の磁気ディスク装置においては、筐体１０３のベース１０３ａ側に軸受けハウジング１０５および軸受けメタル１０６からなる軸受け構造を配置して磁気ディスク１２２およびハブ１２０等が固定されたシャフト１２３の一端を流体軸受けとして支持し、このシャフト１２３の他端部側にロータ磁石１２１を配置して、筐体１０３のベース１０３ａと反対側のメタルコア配線基板１００に形成されたステータ磁極１０１ａと磁気的に結合して磁気ディスク１２２を回転駆動する構成としたので、磁気ディスク１２２の回転性能を維持しつつ筐体１０３の厚さＨを、たとえばメモリカードと互換の５ｍｍ以下に実現できる。
【００３９】
さらに、スラスト与圧用磁石１０７にて、前記軸受け構造の軸方向にシャフト１２３がベース１０３ａに接近する方向（スラスト受け１０９に当接する方向）に付勢され、軸方向の変位が抑止されるので、外部から衝撃等による、シャフト１２３に固定された磁気ディスク１２２の磁気ヘッド１１７に対する浮上高さ方向の位置ずれが発生せず動作の信頼性が維持できるとともに、落下等における耐衝撃性能が向上する。
【００４０】
また、筐体１０３において、剛性の高いベース１０３ａおよびメタルコア配線基板１００等の間に磁気ディスク装置の磁気ヘッド１１７や磁気ディスク１２２等の構成要素が収容されるので、メモリカード互換の薄形寸法の磁気ディスク装置の取扱において、使用者が磁気ディスク装置の中央部を厚さ方向に指で摘んでも、筐体１０３が変形しにくくなり、磁気ディスク１２２に磁気ヘッド１１７が接触する等の障害が防止され、耐故障性能が向上する。
【００４１】
すなわち、薄型の磁気ディスク装置において、磁気ディスクの回転性能を低下させることなく、耐衝撃性能を向上させることが可能となる。
【００４２】
なお、スラスト与圧用磁石１０７の配置位置としては、上述の実施の形態にかぎらず、種々の変形例が考えられる。
【００４３】
すなわち、図５に例示されるように、リング状のスラスト与圧用磁石１０７Ａを、ハブ１２０の内奥部側に固定し、このスラスト与圧用磁石１０７Ａに対向する軸受けハウジング１０５を軟磁性体（または磁石）で構成することで、両者間に磁気的な吸引力を発生させ、ハブ１２０およびシャフト１２３をベース１０３ａの方向に付勢する構成としてもよい。
【００４４】
さらに、図６に例示されるように、スラスト受け１０９に当接するシャフト１２３のピボット端部１２３ａを選択的に磁化して、スラスト与圧用磁石１０７Ｂとして機能させ、軟磁性体（または磁石）等で構成されるスラスト受け１０９との間で磁気的な吸引力を発生させることで、ハブ１２０およびシャフト１２３をベース１０３ａの方向に付勢する構成としてもよい。
【００４５】
あるいは、軸受けハウジング１０５を軟磁性体（または磁石）で構成し、当該軸受けハウジング１０５に対向するハブ１２０の内奥部１２０ａを選択的に磁化することで、両者間に磁気的な吸引力を発生させ、ハブ１２０およびシャフト１２３をベース１０３ａの方向に付勢する構成としてもよい。
【００４６】
さらに、図７に例示されるように、ベース１０３ａにおいて、ツボ型のハブ１２０のフランジ部１２０ａの開口端に面する領域に、リング形状のスラスト与圧用磁石１０７Ｃを配置して、軟磁性体（または磁石）等で構成されるハブ１２０を、ベース１０３ａの側に磁気的に吸引することで、ハブ１２０およびシャフト１２３をベース１０３ａの方向に付勢する構成としてもよい。
【００４７】
また、図４〜図７の各々に例示した構成を必要に応じて組み合わせることでシャフト１２３をベース１０３ａの方向に付勢する磁力を発生させる構成も本発明に含まれる。
【００４８】
本願の特許請求の範囲に記載された発明を見方を変えて表現すれば以下の通りである。
【００４９】
（１）筐体の少なくとも一つの面を構成するベースと、ベースに固定された軸受けと、該軸受けに摺動回転可能な形態で支持されたシャフトと、磁気ディスク及びロータをシャフトに固定するハブと、該ロータと磁気的に結合し回転させるステータと、該磁気ディスクから磁気情報を読むあるいは該磁気ディスクに磁気情報を書き込む該磁気ディスク上を移動可能な磁気ヘッドを備えた磁気ディスク装置であって、
前記軸受けとシャフトの摺動部が流体により満たされて回転可動であると同時に前記ベースあるいは該軸受けのいずれかあるいは両方に磁石を設置し、該磁石と該シャフトあるいは前記ハブあるいは両者と磁石との間の磁力によりシャフトに回転軸方向の与圧が加えられる構成であることを特徴とする磁気ディスク装置。
【００５０】
（２）項目（１）記載の磁気ディスク装置において、
前記軸受けのシャフトの軸芯の延長線上にが該シャフト軸芯方向に磁石で得られる与圧以上の力が与えられたときの抜け止めが設置されていることを特徴とする磁気ディスク装置。
【００５１】
（３）項目（１）および（２）記載の磁気ディスク装置において、
前記シャフトあるいは前記ハブのいずれかあるいは両方が磁石により吸引力を生成する材料により構成されていることを特徴とする磁気ディスク装置。
【００５２】
（４）項目（１）記載の磁気ディスク装置において、
前記ロータと磁気的に結合し、ロータを回転させるステータが積層した軟磁性材料の薄板をコアとして形成されたメタルコア回路基板であり、回路基板上に回転を制御するための回路が形成されていることを特徴とする磁気ディスク装置。
【００５３】
（５）項目（１）から（４）記載の磁気ディスク装置のいずれかにおいて、
前記メタルコア回路基板には、前記磁気ディスクの所望の位置から読み出した磁気情報を電気的に処理する、あるいは前記磁気ディスクの所望の位置に磁気情報を書き込むための電子回路が搭載されていることを特徴とする磁気ディスク装置。
【００５４】
（６）項目（１）から（５）記載の磁気ディスク装置のいずれかにおいて、
前記メタルコア回路基板のいずれかの端には、磁気ディスク装置を用いる電子機器とのＰＣＭＣＩＡ（Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ　）やＡＴＡ（ＡＴ　ａｔｔａｃｈｍｅｎｔ　）等のインターフェースとなる電子回路が搭載されていると同時に挿抜可能な前記インターフェースに対応するコネクタが搭載されいることを特徴とする磁気ディスク装置。
【００５５】
（７）項目（１）から（６）記載の磁気ディスク装置のいずれかにおいて、
前記メタルコア回路基板に前記ロータを非接触に挿入する空間を設けて前記ロータを配置し、前記ステータと磁気的に結合させ前記ロータを回転可能とし、前記ベースと前記メタルコア回路基板の中間の空間に前記ロータに固定されている磁気ディスクと、該磁気ディスクから磁気情報を読むあるいは該磁気ディスクに磁気情報を書き込む該磁気ディスク上を移動可能な磁気ヘッドを配置した磁気ディスク装置であって、
前記ベースが凹型の形状をしており、ベースの凹型形状の内部に前記磁気ディスク及び前記磁気ヘッド及び前記電子部品が搭載されたメタルコア回路基板を取り付け、カバー及び表面層を取り付けた全体の厚さが２．５ｍｍから４．０ｍｍであることを特徴とする磁気ディスク装置。
【００５６】
（８）項目（１）から（７）記載の磁気ディスク装置のいずれかにおいて、
外形寸法が幅４２．８ｍｍ奥行き３６．４ｍｍ厚さ３．３ｍｍである磁気ディスク装置。
【００５７】
（９）項目（１）から（７）記載の磁気ディスク装置のいずれかにおいて、
外形寸法が幅２１．５ｍｍ奥行き５０．０ｍｍ厚さ２．８ｍｍである磁気ディスク装置。
【００５８】
以上本発明者によってなされた発明を実施の形態に基づき具体的に説明したが、本発明は前記実施の形態に限定されるものではなく、その要旨を逸脱しない範囲で種々変更可能であることはいうまでもない。
【００５９】
【発明の効果】
薄型の磁気ディスク装置における磁気ディスクの回転性能を低下させることなく、耐落下衝撃性能を向上させることができる。
【００６０】
筐体の剛性を低下させることなく薄型化が可能な磁気ディスク装置を提供することができる。
【図面の簡単な説明】
【図１】本発明の一実施の形態である磁気ディスク装置の一部を破断して示す上面図である。
【図２】図１の線Ａ１−Ａ２で示される部分の断面図である。
【図３】図１の線Ｂ１−Ｂ２で示される部分の断面図である。
【図４】本発明の一実施の形態である磁気ディスク装置における磁気ディスクの軸受け構造を拡大して例示した断面図である。
【図５】本発明の一実施の形態である磁気ディスク装置における磁気ディスクの軸受け構造の変形例を拡大して例示した断面図である。
【図６】本発明の一実施の形態である磁気ディスク装置における磁気ディスクの軸受け構造の変形例を拡大して例示した断面図である。
【図７】本発明の一実施の形態である磁気ディスク装置における磁気ディスクの軸受け構造の変形例を拡大して例示した断面図である。
【符号の説明】
１００…メタルコア配線基板（筐体：第２主面）、１００ａ…コネクタ、１００ｂ…封止樹脂、１０１…ステータ用配線コイル、１０１ａ…ステータ磁極、１０１ｂ…磁気シールド薄板、１０２…ネジ孔、１０３…筐体、１０３ａ…ベース（第１主面）、１０３ｂ…軸受けハウジング１０５の取り付け部、１０４…カバー（筐体）、１０５…軸受けハウジング、１０６…軸受けメタル、１０７，１０７Ａ，１０７Ｂ，１０７Ｃ…スラスト与圧用磁石（磁力発生手段）、１０８…抜け止め突起、１１０…シャフト、１１１…アームアッセンブリ、１１２…固定シャフト、１１３…ベアリング、１１４…コイルアッセンブリ、１１５…磁石、１１６…ヨーク、１１７…磁気ヘッド、１２０…ハブ、１２０ａ…フランジ部、１２０ｂ…磁化された内奥部（磁力発生手段）、１２１…ロータ磁石、１２２…磁気ディスク、１２３…シャフト、１２３ａ…磁化されたピボット端部（磁力発生手段）、１２４…ロータ磁石固定リング、１２５…磁気ディスク固定リング。
【図１】
2004032850.tif 000003
【図２】
2004032850.tif 000004
【図３】
2004032850.tif 000005
【図４】
2004032850.tif 000006
【図５】
2004032850.tif 000007
【図６】
2004032850.tif 000008
【図７】
2004032850.tif 000009